(57)【要約】   【課題】    ブレースの両端を引張定着不要なダンパーブレースを提供する。  【解決手段】本発明を構成する制振装置１１は、ダンパー機構１３と、４本のブレース１５ａ，１５ｂ，１５ｃ，１５ｄを備えたブレース機構１４とから概ね構成してある。ここで、ダンパー機構１３は、４つのブレース取付け用セグメント及び４つの履歴減衰セグメントが交互に配置されるように環状に接合してなる。ブレース機構１４は、ダンパー機構１３と同一面内において該ダンパー機構の中央開口に設定された仮想中心からほぼＸ字状に延びるブレース配置軸線に沿って４本のブレース１５ａ，１５ｂ，１５ｃ，１５ｄを配置するとともに該ブレースの基端を、上述したダンパー機構１３のブレース取付け用セグメントにそれぞれ接合してある。  【選択図】  図１
2005188240.tif 000002
【特許請求の範囲】
【請求項１】
４つのブレース取付け用セグメントと４つのせん断変形可能な履歴減衰セグメントとを該ブレース取付け用セグメント及び該履歴減衰セグメントが交互に配置されるように環状に接合してなるダンパー機構と、該ダンパー機構と同一面内において該ダンパー機構の中央開口に設定された仮想中心からほぼＸ字状に延びるブレース配置軸線に沿って４本のブレースを配置するとともに該ブレースの基端を前記ブレース取付け用セグメントにそれぞれ接合してなるブレース機構とを備えた制振装置を、矩形状をなすラーメン架構の構面に配置するとともに、前記４本のブレースの先端を前記ラーメン架構を構成する柱、梁、基礎又はそれらが取り合う隅部にそれぞれ接合してなり、前記履歴減衰セグメントを、水平方向にせん断変形する一対の水平セグメントと鉛直方向にせん断変形する一対の鉛直セグメントとで構成するとともに、前記鉛直セグメントのせん断変形高さＬ′が次式、
Ｌ′＝Ｌ・（ｈ／ｂ）
Ｌ；  水平セグメントのせん断変形高さ
ｈ；  前記ラーメン架構の高さ
ｂ；  前記ラーメン架構の幅
となるようにかつ、前記鉛直セグメントの復元力特性ｆV(γ)が次式、
ｆV（γ）＝ｆH（γ）・（ｈ／ｂ）
ｆV（γ）；鉛直セグメントの復元力特性であり、せん断ひずみγに対する鉛直せん断力の大きさを示す一般式
ｆH（γ）；水平セグメントの復元力特性であり、せん断ひずみγに対する水平せん断力の大きさを示す一般式
となるように前記水平セグメント及び前記鉛直セグメントを構成したことを特徴とする制振構造。
【請求項２】
前記４本のブレースのうち、隣り合うブレースを面外座屈防止部材を介して互いにピン接合した請求項１記載の制振構造。
【発明の詳細な説明】
【技術分野】
【０００１】
本発明は、建築土木分野で使用される制振構造に関する。
【背景技術】
【０００２】
鉄道、自動車等の輸送車両が走行する橋梁としては、河川、海峡等を横断する狭義の橋梁のほかに市街地において連続的に建設される、いわゆる高架橋がある。かかる高架橋は、効率的な土地利用の観点から、道路上、鉄道上あるいは河川上の空間に連続して建設されるものであり、高架橋下の道路あるいは鉄道が立体交差することとなるため、交通渋滞の解消にも貢献する。
【０００３】
ところで、このような高架橋の下部構造は、通常、鉄筋コンクリートのラーメン構造として構築されることが多いが、その設計施工の際には、地震時における高架橋の耐震性が十分検討されなければならない。
【０００４】
【特許文献１】特開２００１−０２０２２８号公報
【発明の開示】
【発明が解決しようとする課題】
【０００５】
かかる状況下、本出願人は図８に示すように、柱１，１及び梁２からなる鉄筋コンクリートのラーメン架構３内にダンパー４及びブレース５，５からなるダンパーブレース６を配設した高架橋の下部構造７を提案しており、かかる構成によれば、耐震性の向上を大幅に向上させることが可能となる。
【０００６】
しかしながら、上述した高架橋の下部構造７では、図示しない上部構造から作用する地震時水平力をブレース５，５の引張力及び圧縮力で抵抗する構造であるため、ブレース５，５自体を引張強度に優れた鋼材で構成しなければならないという問題や、それらの下端をフーチング８，８あるいは柱１，１の柱脚に、上端をダンパー４にそれぞれ十分な引張強度をもたせて接合しなければならないという問題を生じていた。
【０００７】
加えて、引張強度をとるためのアンカーが必要となるため、既設の構造物には経済性の観点で適用が困難であるのが実情であった。
【０００８】
本発明は、上述した事情を考慮してなされたもので、ブレースの両端を引張定着させる必要がない制振構造を提供することを目的とする。
【課題を解決するための手段】
【０００９】
本発明は、上述した事情を考慮してなされたもので、ブレースの両端を引張定着させる必要がない制振構造を提供することを目的とする。
【００１０】
上記目的を達成するため、本発明に係る制振構造は請求項１に記載したように、４つのブレース取付け用セグメントと４つのせん断変形可能な履歴減衰セグメントとを該ブレース取付け用セグメント及び該履歴減衰セグメントが交互に配置されるように環状に接合してなるダンパー機構と、該ダンパー機構と同一面内において該ダンパー機構の中央開口に設定された仮想中心からほぼＸ字状に延びるブレース配置軸線に沿って４本のブレースを配置するとともに該ブレースの基端を前記ブレース取付け用セグメントにそれぞれ接合してなるブレース機構とを備えた制振装置を、矩形状をなすラーメン架構の構面に配置するとともに、前記４本のブレースの先端を前記ラーメン架構を構成する柱、梁、基礎又はそれらが取り合う隅部にそれぞれ接合してなり、前記履歴減衰セグメントを、水平方向にせん断変形する一対の水平セグメントと鉛直方向にせん断変形する一対の鉛直セグメントとで構成するとともに、前記鉛直セグメントのせん断変形高さＬ′が次式、
Ｌ′＝Ｌ・（ｈ／ｂ）
Ｌ；  水平セグメントのせん断変形高さ
ｈ；  前記ラーメン架構の高さ
ｂ；  前記ラーメン架構の幅
となるようにかつ、前記鉛直セグメントの復元力特性ｆV(γ)が次式、
ｆV（γ）＝ｆH（γ）・（ｈ／ｂ）
ｆV（γ）；鉛直セグメントの復元力特性であり、せん断ひずみγに対する鉛直せん断力の大きさを示す一般式
ｆH（γ）；水平セグメントの復元力特性であり、せん断ひずみγに対する水平せん断力の大きさを示す一般式
となるように前記水平セグメント及び前記鉛直セグメントを構成したものである。
【００１１】
また、本発明に係る制振構造は、前記４本のブレースのうち、隣り合うブレースを面外座屈防止部材を介して互いにピン接合したものである。
【００１２】
本発明に係る制振構造を構成する制振装置においては、ダンパー機構は、４つのブレース取付け用セグメントと４つのせん断変形可能な履歴減衰セグメントとを該ブレース取付け用セグメント及び該履歴減衰セグメントが交互に配置されるように環状に接合してあり、ブレース機構は、ダンパー機構と同一面内において該ダンパー機構の中央開口に設定された仮想中心からほぼＸ字状に延びるブレース配置軸線に沿って４本のブレースを配置するとともに該ブレースの基端を前記ブレース取付け用セグメントにそれぞれ接合してなる。
【００１３】
かかる制振装置は、建築構造物や土木構造物の一部をなす矩形状のラーメン架構の構面に配置され、ブレース機構を構成する４本のブレースを、それらの先端がラーメン架構を構成する柱、梁、基礎又はそれらが取り合う隅部にそれぞれ接合することで制振構造となる。
【００１４】
すなわち、本発明に係る制振構造においては、４本のブレースは概ねＸ字状に配設され、それらの中心付近にダンパー機構が配置されることになるとともに、ダンパー機構を構成する４つのせん断変形可能な履歴減衰型セグメントは後述するように一対の水平セグメント及び一対の鉛直セグメントで構成してあり、これら一対の水平セグメント及び一対の鉛直セグメントは、互いに対向するようにそれぞれ配置され、それらの間に４つのブレース取付け用セグメントが介在することになる。また、４本のブレースは、それらの先端をラーメン架構を構成する柱、梁（地中梁を含む）、基礎又はそれらが取り合う隅部にそれぞれ接合してある。
【００１５】
このようにすると、地震時水平力がラーメン架構に作用して該ラーメン架構が変形する際、ラーメン架構の対角線のうち、その長さが短くなる側のブレースにはラーメン架構から圧縮力が伝達され、該圧縮力は、ブレース取付け用セグメントを介してダンパー機構の両側方に作用する。
【００１６】
そのため、ダンパー機構は、圧縮力が作用する側でブレース取付け用セグメントの離間距離が短くなり、他方の側、すなわち、対角線の長さが長くなる側のブレースが取り付けられたブレース取付け用セグメントの離間距離が長くなるような、たとえて言えば円形が楕円形に、正方形が菱形になるがごとき変形、さらに別の言い方をすれば、所定の部材に圧縮力が加わるとその圧縮方向に直交する方向に部材がはらみ出す変形（ポアゾン比を参照）と類似した変形が生じる。
【００１７】
そして、かかるダンパー機構の変形に伴い、該ダンパー機構を構成する履歴減衰セグメントは、強制的なせん断変形を受ける。
【００１８】
一方、地震荷重の反転によってラーメン架構の変形が逆方向になると、今度は、他方のブレースを介してラーメン架構からダンパー機構に圧縮力が伝達され、該ダンパー機構には、上述した変形とは鉛直方向に対称な変形が生じ、該ダンパー機構を構成する履歴減衰セグメントは、上述したせん断変形とは正負が逆の強制的なせん断変形を受ける。
【００１９】
このように、地震時水平力が交番荷重としてラーメン架構に作用し、それによってラーメン架構が水平方向に振動するとき、本発明に係るダンパー機構には、上述したように、２本の対角線に沿った異なる二方向から圧縮力が交互に作用し、それによってダンパー機構の履歴減衰セグメントが強制的なせん断変形を受け、該強制せん断変形による履歴減衰によって、ラーメン架構の振動エネルギーは速やかに吸収される。
【００２０】
かくして、ブレースの先端をラーメン架構に引張定着せずとも、従来のダンパーブレース機構（図８）と同様に、ラーメン架構の振動エネルギーを本発明のダンパー機構で吸収させることが可能となり、既設のラーメン架構を耐震補強するのに最適な制振構造が実現する。
【００２１】
加えて、履歴減衰セグメントは、水平方向にせん断変形する一対の水平セグメントと鉛直方向にせん断変形する一対の鉛直セグメントとで構成するとともに、前記鉛直セグメントのせん断変形高さＬ′が次式、
Ｌ′＝Ｌ・（ｈ／ｂ）
Ｌ；  水平セグメントのせん断変形高さ
ｈ；  前記ラーメン架構の高さ
ｂ；  前記ラーメン架構の幅
となるようにかつ、前記鉛直セグメントの復元力特性ｆV(γ)が次式、
ｆV（γ）＝ｆH（γ）・（ｈ／ｂ）
ｆV（γ）；鉛直セグメントの復元力特性であり、せん断ひずみγに対する鉛直せん断力の大きさを示す一般式
ｆH（γ）；水平セグメントの復元力特性であり、せん断ひずみγに対する水平せん断力の大きさを示す一般式
となるように前記水平セグメント及び前記鉛直セグメントを構成してある。
【００２２】
このようにすると、ラーメン架構の変形の大きさにかかわらず、ブレースからの軸力は、常に同一の作用線上でダンパー機構の両側方に作用することとなり、軸力の作用線がずれてダンパー機構が回転する懸念がなくなる。
【００２３】
ここで、前記４本のブレースのうち、隣り合うブレースを面外座屈防止部材を介して互いにピン接合したならば、ダンパー機構、特に履歴減衰セグメントに局部面外座屈が生じる状況が発生したとしても、面外座屈防止部材の作用によってダンパー機構及び前記ブレース機構が面外方向に全体座屈するのを防止することができるとともに、その結果として、履歴減衰セグメントも局部面外座屈を起こすことなく、上述したせん断変形による履歴減衰によって振動エネルギーの吸収を行うことが可能となる。
【００２４】
本発明に係る制振構造は、地震による振動を抑制する必要がある任意のラーメン架構に適用することが可能である。また、建築土木分野の両方に適用可能であることは言うまでもない。
【００２５】
例えば、オフィスビル、マンション等の建築構造物については、柱梁で構成された各階のラーメン架構に本発明に係る制振構造を適用することができる。この場合、平面的にはＥＶ廻りなど、建物のコア近傍に設置することが考えられる。
【００２６】
一方、土木分野においては、例えば高架橋の下部構造を構成するラーメン架構に本発明の制振構造を適用することが可能である。
【発明を実施するための最良の形態】
【００２７】
以下、本発明に係る制振構造の実施の形態について、添付図面を参照して説明する。なお、従来技術と実質的に同一の部品等については同一の符号を付してその説明を省略する。
【００２８】
図１は、本実施形態に係る制振構造としての高架橋の下部構造１２を示した正面図であり、柱１，１及び梁２からなる鉄筋コンクリートのラーメン架構３内に制振装置１１を配設してなる。
【００２９】
制振装置１１は、ダンパー機構１３と、４本のブレース１５ａ，１５ｂ，１５ｃ，１５ｄを備えたブレース機構１４とから概ね構成してある。
【００３０】
ダンパー機構１３は図２に詳細に示すように、４つのブレース取付け用セグメント２１ａ，２１ｂ，２１ｃ，２１ｄと、４つのせん断変形可能な履歴減衰セグメント２２ａ，２２ｂ，２２ｃ，２２ｄとから構成してある。
【００３１】
ここで、４つのブレース取付け用セグメント２１ａ，２１ｂ，２１ｃ，２１ｄは、例えばＨ型鋼を溶接等で適宜接合して構成することが可能であるとともに、想定される地震動に対して弾性範囲に収まるようにフランジ厚やウェブ厚を調整してある。
【００３２】
４つの履歴減衰セグメント２２ａ，２２ｂ，２２ｃ，２２ｄは、長方形状のウェブ部材の両縁にフランジ部材を設けたいわゆるＩ型鋼で構成してあり、長方形状のウェブ部材は、所定のせん断変形量を越えると塑性変形を生じるバイリニア型履歴減衰部材で構成してある。
【００３３】
そして、ダンパー機構１３は、４つのブレース取付け用セグメント２１ａ，２１ｂ，２１ｃ，２１ｄ及び４つの履歴減衰セグメント２２ａ，２２ｂ，２２ｃ，２２ｄが交互に配置されるように環状に接合してなる。すなわち、図２で説明すれば、ブレース取付け用セグメント２１ａ、履歴減衰セグメント２２ａ、ブレース取付け用セグメント２１ｂ、履歴減衰セグメント２２ｂ、ブレース取付け用セグメント２１ｃ、履歴減衰セグメント２２ｃ、ブレース取付け用セグメント２１ｄ、履歴減衰セグメント２２ｄ及びブレース取付け用セグメント２１ａを順次接合することで、矩形状の中央開口２３が形成された環状のダンパー機構１３が構成される。
【００３４】
ブレース機構１４は、ダンパー機構１３と同一面内において該ダンパー機構の中央開口２３に設定された仮想中心、本実施形態では矩形状中央開口２３の中心２４からほぼＸ字状に延びるブレース配置軸線２５ａ，２５ｂ，２５ｃ，２５ｄに沿って４本のブレース１５ａ，１５ｂ，１５ｃ，１５ｄを配置するとともに該ブレースの基端を、上述したダンパー機構１３のブレース取付け用セグメント２１ａ，２１ｂ，２１ｃ，２１ｄにそれぞれ接合してある。
【００３５】
一方、制振構造としての高架橋の下部構造１２は上述したように、柱１，１及び梁２からなる鉄筋コンクリートの矩形状をなすラーメン架構３の構面に制振装置１１を配置してあるが、さらに具体的には、ブレース１５ａ，１５ｄの先端を柱１と梁２とが取り合う隅部に接合し、ブレース１５ｂ，１５ｃの先端を柱１と基礎であるフーチング８とが取り合う隅部にそれぞれぞ接合してある。
【００３６】
ここで、ブレース１５ａ，１５ｂ，１５ｃ，１５ｄを上述した４つの隅部に接合するにあたっては、引張力が伝達するようにする必要はない。例えば、かかる隅部にボックス状の嵌合部を取り付け、該嵌合部にブレース１５ａ，１５ｂ，１５ｃ，１５ｄの先端を嵌め込むようにしておけば足りる。
【００３７】
上述した履歴減衰セグメント２２ａ，２２ｂ，２２ｃ，２２ｄは、水平方向にせん断変形する一対の水平セグメント２２ａ，２２ｃと、鉛直方向にせん断変形する一対の鉛直セグメント２２ｂ，２２ｄとに大別され、該鉛直セグメントのせん断変形高さＬ′（図２）が次式、
Ｌ′＝Ｌ・（ｈ／ｂ）        （１）
Ｌ；  水平セグメントのせん断変形高さ（図２参照）
ｈ；  前記ラーメン架構の高さ（図１参照）
ｂ；  前記ラーメン架構の幅（同）
となるようにかつ、鉛直セグメントの復元力特性ｆV(γ)が次式、
ｆV（γ）＝ｆH（γ）・（ｈ／ｂ）    （２）
ｆV（γ）；鉛直セグメントの復元力特性であり、せん断ひずみγに対する鉛直せん断力の大きさを示す一般式
ｆH（γ）；水平セグメントの復元力特性であり、せん断ひずみγに対する水平せん断力の大きさを示す一般式
となるように水平セグメント２２ａ，２２ｃ及び鉛直セグメント２２ｂ，２２ｄを構成してある。
【００３８】
本実施形態に係る制振構造としての高架橋の下部構造１２においては、４本のブレース１５ａ，１５ｂ，１５ｃ，１５ｄは概ねＸ字状に配設され、それらの中心付近にダンパー機構１３が配置されることになるとともに、ダンパー機構１３を構成するブレース取付け用セグメント２１ａ，２１ｃは、ブレース配置軸線２５ａ，２５ｃに沿って、ブレース取付け用セグメント２１ｂ，２１ｄは、ブレース配置軸線２５ｂ，２５ｄに沿ってそれぞれ対向配置され、それらの間に４つの履歴減衰セグメント２２ａ，２２ｂ，２２ｃ，２２ｄが介在することになる。
【００３９】
このようにすると、地震時水平力がラーメン架構３に作用して該ラーメン架構が図１であれば例えば右方向に変形する際、ラーメン架構３の対角線のうち、その長さが短くなる側のブレース１５ａ，１５ｃにはラーメン架構３から圧縮力が伝達され、該圧縮力は、図３に示すようにブレース取付け用セグメント２１ａ，２１ｃを介してダンパー機構１３の両側方に作用する。
【００４０】
そのため、ダンパー機構１３は、圧縮力が作用する側でブレース取付け用セグメント２１ａ，２１ｃの離間距離が短くなり、他方の側、すなわち、対角線の長さが長くなる側のブレース１５ｂ，１５ｄが取り付けられたブレース取付け用セグメント２１ｂ，２１ｄの離間距離が長くなる。
【００４１】
そして、かかるダンパー機構１３の変形に伴い、履歴減衰セグメント２２ａ，２２ｂ，２２ｃ，２２ｄは図３でよくわかるように、強制的なせん断変形を受ける。
【００４２】
なお、ブレース取付け用セグメント２１ｂ，２１ｄの離間距離が長くなる分だけ、ブレース１５ｂ，１５ｄがそれぞれブレース配置軸線２５ｂ，２５ｄに沿って押し出されることとなるが、ラーメン架構３も該軸線に沿った対角線に沿って長くなっているため、ブレース１５ｂ，１５ｄの先端がラーメン架構３の接合箇所で反力を受けてダンパー機構１３の変形が阻害される懸念はない。
【００４３】
すなわち、ブレース１５ｂ，１５ｄの先端をラーメン架構３に当接させた状態で接合してあった場合、ブレース１５ａ，１５ｃが仮に剛体だとすれば、ダンパー機構１３の変形によって、ブレース１５ｂ，１５ｄの先端がラーメン架構３に当接されたままとなり、場合によってはラーメン架構３から反力を受けて、ダンパー機構１３の変形を阻害する懸念が生じるが、ブレース１５ａ，１５ｃは弾性体であって圧縮力で短くなるため、実際には、ブレース１５ｂ，１５ｄの先端とラーメン架構３とは離間し、該接合箇所で反力は生じない。
【００４４】
一方、地震荷重の反転によってラーメン架構３の変形が逆方向になると、今度は、他方のブレース１５ｂ，１５ｄを介してラーメン架構３からダンパー機構１３に圧縮力が伝達され、該ダンパー機構には、上述した変形とは鉛直方向に対称な変形が生じ、該ダンパー機構を構成する履歴減衰セグメント２２ａ，２２ｂ，２２ｃ，２２ｄは、上述したせん断変形とは正負が逆の強制的なせん断変形を受ける。
【００４５】
このように、地震時水平力が交番荷重としてラーメン架構３に作用し、それによってラーメン架構３が水平方向に振動するとき、本実施形態に係るダンパー機構１３には、２本の対角線に沿った異なる二方向から圧縮力が交互に作用し、それによってダンパー機構１３の履歴減衰セグメント２２ａ，２２ｂ，２２ｃ，２２ｄが強制的なせん断変形を受け、該強制せん断変形による履歴減衰によって、ラーメン架構３の振動エネルギーは速やかに吸収される。
【００４６】
図４(a)は、ラーメン架構３の水平振動に伴う制振装置１１の履歴特性を、ブレース１５ａ，１５ｃによるもの（上段）とブレース１５ｂ，１５ｄによるもの（下段）とに分けて描いた図である。
【００４７】
同図でわかるように、静的な状態（図４(a)中、点Ａ）からラーメン架構３が右方向に地震荷重を受け始めると、ダンパー機構１３はブレース１５ａ，１５ｃによる圧縮力によって図３に示しように変形し、制振装置１１は、ダンパー機構１３の初期剛性とブレース機構１４の剛性を合わせた全体初期剛性に応じた弾性変形が進行する。次いで、ダンパー機構１３の履歴減衰セグメント２２ａ，２２ｂ，２２ｃ，２２ｄが降伏することで、全体の履歴としては降伏点Ｂを越えて塑性変形が進行する。
【００４８】
次に、地震荷重によるラーメン架構３の変形が反転して図１で言えば左方向に変形し始めると、制振装置１１は、点Ｃから全体初期剛性に応じた弾性変形によって点Ｄに移る。
【００４９】
次に、ラーメン架構３が元の位置とは逆方向（図１で言えば左方向）に変形し始めると、ダンパー機構１３は、ブレース１５ｂ，１５ｄから圧縮力を受けることにより、ダンパー機構１３は該ブレースによる圧縮力によって図３に示した変形とは鉛直軸線に対して対称な変形を生じ、制振装置１１は、ダンパー機構１３の初期剛性とブレース機構１４の剛性を合わせた全体初期剛性に応じた弾性変形が進行する。次いで、ダンパー機構１３の履歴減衰セグメント２２ａ，２２ｂ，２２ｃ，２２ｄが降伏することで、全体の履歴としては降伏点Ｅを越えて塑性変形がＦに向けて進行する。
【００５０】
以下、ラーメン架構３の水平変形が右方向か左方向かで、ダンパー機構１３を圧縮するブレースが交互に切り替わり、上述したように、制振装置１１の変形がＧ→Ｈ→Ｉ→Ｊ→Ｋと進行し、結局、制振装置１１全体の履歴特性としては、図４(b)のようになる。なお、塑性変形がどこまで進み、どの時点で除荷されるかは、地震荷重の特性によって異なることは言うまでもない。
【００５１】
履歴減衰セグメント２２ａ，２２ｂ，２２ｃ，２２ｄは上述したように、水平方向にせん断変形する一対の水平セグメント２２ａ，２２ｃと、鉛直方向にせん断変形する一対の鉛直セグメント２２ｂ，２２ｄとに大別され、かかる水平セグメント２２ａ，２２ｃ及び鉛直セグメント２２ｂ，２２ｄは、（１）式を満たすように構成してある。
【００５２】
そのため、地震時水平力によるせん断ひずみをγとすると、図５でわかるように、水平セグメント２２ａ，２２ｃの頂部はその底部に対してＬ・γだけ右方向に変位し、鉛直セグメント２２ｂ，２２ｄの左縁はその右縁に対してＬ′・γだけ下方に変位する。
【００５３】
これは、ブレース配置軸線２５ａ，２５ｃ上の仮想中心２４が右にＬ・γ、下にＬ′・γ移動することになるが、その移動後の点２４′は、（１）式により、ブレース配置軸線２５ａ，２５ｃ上にくる。図５(b)中、θは、水平面に対するラーメン架構３の対角線角度であり、θ＝tan -1（ｈ／ｂ）となる。
【００５４】
したがって、ラーメン架構３が変形してダンパー機構１３がブレース１５ａ，１５ｃから軸力を受けたとしても、その作用線は、ブレース配置軸線２５ａ，２５ｃ上であって、ブレース１５ａから受ける軸力とブレース１５ｃから受ける軸力とがずれるおそれはなく、かくしてダンパー機構１３の回転は未然に防止される。
【００５５】
また、水平セグメント２２ａ，２２ｃ及び鉛直セグメント２２ｂ，２２ｄに生ずる内力は、鉛直セグメント２２ｃ，２２ｄの復元力特性を図６(a)に示すバイリニア型のｆV（γ）、水平セグメント２２ａ，２２ｃの復元力特性を同図(b)に示すバイリニア型のｆH（γ）とすると、ダンパー機構１３の内力は図６(c)のようになるが、水平セグメント２２ａ，２２ｃ及び鉛直セグメント２２ｂ，２２ｄは（２）式を満たすように構成してあるため、これらの内力は同図(d)に示す通り、ブレース１５ａ，１５ｃの材軸である２５ａ，２５ｃに一致する（同図(c)の実線はブレース１５ａからの強制変形で生じた内力、破線はブレース１５ｃからの強制変形で生じた内力）。
【００５６】
したがって、ダンパー機構１３の内力は、同一作用線上でブレース１５ａ，１５ｃからの軸力と釣り合うこととなり、ダンパー機構１３の回転は未然に防止される。
【００５７】
鉛直セグメント２２ｃ，２２ｄの復元力特性及び水平セグメント２２ａ，２２ｃの復元力特性は、図６(a)、(b)に示したバイリニア型の場合、具体的には以下の関係に設定すればよい。
ｋV1／ｋH1＝（ｈ／ｂ）
ｋV2／ｋH2＝（ｈ／ｂ）
γVY=γHY
ＳVY／ＳHY＝（ｈ／ｂ）
【００５８】
以上説明したように、本実施形態に係る制振構造としての高架橋の下部構造１２によれば、ブレース１５ａ，１５ｂ，１５ｃ，１５ｄの先端をラーメン架構３に引張定着せずとも、図８に示したダンパーブレース機構と同様に、ラーメン架構３の振動エネルギーをダンパー機構１３で吸収させることが可能となり、既設のラーメン架構を耐震補強するのに最適な制振構造が実現する。
【００５９】
また、本実施形態に係る制振構造としての高架橋の下部構造１２によれば、水平セグメント２２ａ，２２ｃ及び鉛直セグメント２２ｂ，２２ｄを（１）式及び（２）式を満たすように構成したので、ダンパー機構１３の回転を未然に防止することが可能となる。
【００６０】
本実施形態では特に言及しなかったが、本発明の制振構造は、ブレースの先端をラーメン構造に引張定着することを除外するものではなく、例えば新設の工事において、各ブレースの先端を引張定着させてもかまわない。
【００６１】
かかる構成においては、ラーメン架構の振動によって対角線が長くなる方向に配置されたブレースに引張力が入ることになるが、かかる引張力は、本発明に係るダンパー機構の作用を何ら減じるものではない。
【００６２】
また、本実施形態では特に言及しなかったが、４本のブレース１５ａ，１５ｂ，１５ｃ，１５ｄのうち、隣り合うブレースを面外座屈防止部材を介して互いにピン接合するようにしてもよい。
【００６３】
図７は、かかる変形例を示したものであり、ブレース１５ａ，１５ｂを面外座屈防止部材３２ａを介して互いにピン接合してある。以下、同様に、ブレース１５ｂ，１５ｃを面外座屈防止部材３２ｂを介して、ブレース１５ｃ，１５ｄを面外座屈防止部材３２ｃを介して、ブレース１５ｄ，１５ａを面外座屈防止部材３２ｄを介してそれぞれ互いにピン接合してある。
【００６４】
面外座屈防止部材３２ａ，３２ｂ，３２ｃ，３２ｄは、例えば山型鋼や、Ｃ型鋼で構成することができる。
【００６５】
かかる構成によれば、ダンパー機構１３、特に履歴減衰セグメント２２ａ，２２ｂ，２２ｃ，２２ｄに局部面外座屈が生じる状況が発生したとしても、面外座屈防止部材３２ａ，３２ｂ，３２ｃ，３２ｄの作用によってダンパー機構１３及びブレース機構１４が面外方向に全体座屈するのを防止することができるとともに、その結果として、履歴減衰セグメント２２ａ，２２ｂ，２２ｃ，２２ｄも局部面外座屈を起こすことなく、上述したせん断変形による履歴減衰によって、ラーメン架構の振動エネルギーの吸収を行うことが可能となる。
【００６６】
また、本実施形態では、制振構造である高架橋の下部構造をその構面が橋軸方向に直交する場合について説明したが、これに加えてあるいはこれに代えて、構面が橋軸方向に平行となるように本発明の制振装置を配置して制振構造としてもよい。
【００６７】
さらに、本発明に係る制振構造としての高架橋の下部構造を、上部構造である床板ごとに適用してもよいし、床板を相互に剛結してなる一体化された上部構造に対して適用してもよい。なお、これらの場合においても、制振装置を橋軸方向に平行なラーメン架構の構面に配置するか、橋軸方向に直交するラーメン架構の構面に配置するかは任意であり、いずれか単独でもよいし、適宜組み合わせてもかまわない。
【図面の簡単な説明】
【００６８】
【図１】本実施形態に係る制振構造の正面図。
【図２】ダンパー機構を示した詳細図。
【図３】変形状態のダンパー機構を示した詳細図。
【図４】本実施形態に係る制振構造の履歴特性を示した図。
【図５】本実施形態に係る制振構造の作用を示した図。
【図６】同じく制振構造の作用を示した図。
【図７】変形例に係る制振装置を示した正面図。
【図８】従来技術に係るダンパーブレース機構を示した図。
【符号の説明】
【００６９】
１                              柱
２                              梁
３                              ラーメン架構
１１                            制振装置
１２                            高架橋の下部構造（制振構造）
１３                            ダンパー機構
１４                            ブレース機構
１５ａ，１５ｂ，１５ｃ，１５ｄ  ブレース
２１ａ，２１ｂ，２１ｃ，２１ｄ  ブレース取付け用セグメント
２２ａ，２２ｃ                  水平セグメント（履歴減衰セグメント）
２２ｂ，２２ｄ                  鉛直セグメント（履歴減衰セグメント）
２４                            仮想中心
２５ａ，２５ｂ，２５ｃ，２５ｄ  ブレース配置軸線
３２ａ，３２ｂ，３２ｃ，３２ｄ  面外座屈防止部材
【図１】
2005188240.tif 000003
【図２】
2005188240.tif 000004
【図３】
2005188240.tif 000005
【図４】
2005188240.tif 000006
【図５】
2005188240.tif 000007
【図６】
2005188240.tif 000008
【図７】
2005188240.tif 000009
【図８】
2005188240.tif 000010